(57)【要約】  【課題】  従来の組み立て棚では、棚の高さが高く、かつ災害時でも安心な木製の組み立て棚にしたいと考えた場合、これをキットの形にしたとしても、普通乗用車のトランクや後部座席では運搬できない大きさになってしまう点にある。  【解決手段】  木製の組み立て棚１において、左右の側板をそれぞれ上部４１，５１と下部４２，５２の２つに分割し、側板連結具８を用いて上部と下部を連結するとともに、前記天板２の下面背部、前記底板３の上面背部、前記棚板７の上面背部と下面背部、前記右側板４の内側面背部及び前記左側板５の内側面背部に、前記背板６の一辺を挟みこむ嵌合溝９を有し、前記各背板６の各辺が、それぞれ前記嵌合溝で挟み込まれた組み立て棚とすること、及びかかる構造が可能となる組み立て棚のキットとするものである。  【選択図】  図１
2007061207.tif 000002
【特許請求の範囲】
【請求項１】
天板、底板、右側板、左側板及び二枚以上の背板によって棚の上面、下面、両側面及び背面が構成され、一枚以上の棚板で棚の内部が区分された木製の組み立て棚であって、
前記右側板及び前記左側板は、それぞれ上部及び下部に分割された側板が、側板連結具により連結されてなるものであり、
前記天板の下面背部、前記底板の上面背部、前記棚板の上面背部と下面背部、前記右側板の内側面背部及び前記左側板の内側面背部に、前記背板の一辺を挟みこむ嵌合溝を有し、
前記各背板の各辺が、それぞれ前記嵌合溝で挟み込まれたものである組み立て棚。
【請求項２】
前記側板連結具に、ピンとカムロックを用いた請求項１記載の組み立て棚。
【請求項３】
前記側板連結具に、ピンとカムロック及び木製ダボを用いた請求項１記載の組み立て棚。
【請求項４】
前記上部及び下部に分割された右側板及び左側板の、上部と下部の接触部位の形状が嵌合形状であり、
前記側板連結具に、金属棒を用いた請求項１記載の組み立て棚。
【請求項５】
木製の組み立て棚のキットであって、
当該組み立てキットは、少なくとも天板、底板、上部右側板、下部右側板、上部左側板、下部左側板、二枚以上の背板、一枚以上の棚板及び二つ以上の側板連結具からなり、
前記天板の下面背部、前記底板の上面背部、前記棚板の上面背部と下面背部、前記上部右側板の内側面背部、前記下部右側板の内側面背部、前記上部左側板の内側面背部及び前記下部左側板の内側面背部には、前記背板の一辺を挟みこむ嵌合溝が設けられているものである組み立て棚のキット。
【発明の詳細な説明】
【技術分野】
【０００１】
本発明は、本や小物などを収納する木製の組み立て棚及びこれを組み立てるための組み立て棚のキットに関する。
【背景技術】
【０００２】
本や小物を収納するための木製の棚においては、運搬の利便性などから、その棚の使用現場にて組み立てることが可能な組み立て棚が存在する。特に、組み立て棚の場合、使用場所までは、キットの状態のまま運搬し、その使用場所で、棚の形に組み立てる。最近では、組み立て作業の簡易化により、販売業者が使用場所まで向かい、棚を組み立てるのではなく、購入者自身が組み立てを行うことが多くなっている。
【０００３】
ところで棚は、上部のスペースを有効に利用するために、高さが１ｍ以上とした縦長の形であるものが多い。しかし、高さが１ｍを超える縦長形状の組み立て棚の場合、キットの形として運搬するとしても、キットの長さは、組み立て棚高さよりも低くすることができず、１ｍ以上になってしまい、普通乗用車のトランクや後部座席に入りきらず、一般の購入者がその場で持ち帰ることができないものであった。
【０００４】
この点、特許文献１のように、複数の箱型ユニットを積み重ね、それぞれを留め金等で固定する方法も考えられるが、安定性を欠き、地震など災害時において、安全性に問題が残るものであった。
【特許文献１】実用新案登録公報第３０５７１１２号
【０００５】
また、合成樹脂製の棚であれば、成形において複雑な嵌合形状などに加工することで、かかる問題を解決できるが、木製の棚の場合、そのような複雑な加工を行うことができない、若しくは採算性に乏しい方法となってしまう。
【発明の開示】
【発明が解決しようとする課題】
【０００６】
上述のとおり、本発明が解決しようとする課題は、従来の木製の組み立て棚でもキットの形にして運搬することはできるが、棚の高さが高く、かつ災害時でも安心な木製の組み立て棚にしたいと考えた場合、これをキットの形にしたとしても、普通乗用車のトランクや後部座席では運搬できない大きさになってしまう点にある。
【課題を解決するための手段】
【０００７】
本発明は、木製の組み立て棚において、左右の側板をそれぞれ上部と下部の２つに分割し、側板連結具を用いて上部と下部を連結するとともに、前記天板の下面背部、前記底板の上面背部、前記棚板の上面背部と下面背部、前記右側板の内側面背部及び前記左側板の内側面背部に、前記背板の一辺を挟みこむ嵌合溝を有し、前記各背板の各辺が、それぞれ前記嵌合溝で挟み込まれた組み立て棚とすること、及びかかる構造が可能となる組み立て棚のキットとすることを最も主要な特徴とする。
【発明の効果】
【０００８】
本発明の木製組み立て棚及びそのキットによれば、棚の高さが１ｍを越す組み立て棚であっても、乗用車にて持ち運ぶことができ、組み立て後も十分な強度が確保できる。また該キットの梱包に用いる段ボールの使用量が３割程度削減できる。
【０００９】
また、製造元から販売店への輸送についても、C/Sサイズが小さくなり、例えば４０Ｆコンテナ積載量を５％程度増やすことができるので、輸送コストが削減できる。更に販売店での陳列が容易で、販売店での労力負担を軽減できる。
【発明を実施するための最良の形態】
【００１０】
以下、図面を用いて本発明を説明するが、本発明は図面に示された様態に限られるものではない。
【００１１】
（組み立て棚）
図１は、本発明の木製組み立て棚の斜視図である。図２は、本発明の別の様態の木製組み立て棚の斜視図であり、図１の様態の組み立て棚の前面に複数の扉を設けた様態である。なお図２では、最上段の扉のみが開いた状態を図示している。
【００１２】
本発明の組み立て棚１は、天板２、底板３、右側板４、左側板５及び二枚以上の背板６によって棚の上面、下面、両側面及び背面が構成され、一枚以上の棚板７で棚の内部が区分された木製の組み立て棚である。なお図１の様態では、背板６は五枚、棚板７は四枚用いた様態であるが、最上段の板のみ符号を付した。かかる構成であれば、図１のように前面が開放されている組み立て棚であってもよいし、図２のように前面に扉１４が設けられた組み立て棚１であってもよい。なお、符号は最上段の扉のみに付した。本発明の組み立て棚１は木製であるから、これに用いる天板２、底板３、右側板４、左側板５、背板６及び棚板７も木製である。
【００１３】
右側板４及び左側板５は、一枚板ではなく、本発明の効果を発揮するためそれぞれ上下に分割されたもの（上部右側板４１と下部右側板４２，及び上部左側板５１と下部左側板５２）が側板連結具８によって連結されている。図１には上部右側板４１と下部右側板４２の連結位置をＡで、上部左側板５１と下部左側板５２の連結位置をＡ’にて示した。
【００１４】
本発明の背板６もまた一枚板ではなく、天板２，棚板７，底板３，右側板４，左側板５の間に挟みこまれた二枚以上に分割されたものである。本発明では、背板６を確実に挟みこませるために、天板２の下面背部、底板３の上面背部、棚板７の上面背部と下面背部、右側板４の内側面背部及び左側板５の内側面背部に、背板６の各辺を挟みこむ嵌合溝９を設ける。そして各背板６の上辺と下辺は、天板２と棚板７、棚板７と棚板７または棚板７と底板３の嵌合溝９で挟み込み、両側側辺は、右側板４と左側板５の嵌合溝９で挟み込むことで、分割した背板をしっかり保持し、本発明の組み立て棚１の強度を確保する。強度確保のために、棚板７はほぼ均等間隔で設けることが好ましい。なお棚板７が一枚の場合では、当該棚板は組み立て棚の中心部付近に設ける必要がある。そのようにしないと、分割した背板の長さが長くなるので側板４，５を分割した意味がなくなるからである。
【００１５】
本発明では、強度確保のため、上部側板４１，５１と下部側板４２，５２の連結は、側板連結具８にピンとカムロックを用いる方法、側板連結具８にピンとカムロック及び木製ダボを用いる方法、上部及び下部に分割された右側板４及び左側板５の、上部と下部の接触部位の形状を嵌合形状とした上で、側板連結具６に、金属棒を用いる方法のいずれかを採用することが好ましい。側板連結具８は、右側板用と左側板用が必要となるので、少なくとも二つ必要となる。各側板二個所で連結を行う場合、側板連結具８は四つ必要となる。
【００１６】
側板４，５と天板２、側板４，５と底板３及び側板４，５と棚板７の固定は、組み立て棚１の強度確保のためにねじ止めすることが好ましい。ねじ止めにより、側板４，５を分割した強度の低下を更に補うことができる。図１には、これらの固定をねじ止めにより行った様態を示しており、ねじ頭１２が図示されている。ただし、符号は最上部のねじ頭のみに付した。
【００１７】
板の厚みは特に制限されるものではない。強度及びコストを考慮すれば、５〜２５ｍｍ程度が通常である。ただし、上部側板４１，５１の下辺及び下部側板４２，５２の上辺には側板連結具８を取り付けるため、側板の板厚は１０ｍｍ以上であることが好ましい。また、全ての辺を挟み込まれる背板６の厚みは薄くてもよく、通常０．５〜５ｍｍ程度である。また、背板６を挟みこむ嵌合溝９の幅は、背板厚さに遊び分を加えた幅とし、しっかりと背板を挟み込むようにする。例えば、背板厚みが２．５ｍｍの場合、嵌合溝の幅は４ｍｍ程度が好ましい。
【００１８】
（キット）
本発明の木製の組み立て棚のキットは、上記のような組み立て棚を組み立てることができるキットである。具体的には、少なくとも天板２、底板３、上部右側板４１、下部右側板４２、上部左側板５１、下部左側板５２、二枚以上の背板６、一枚以上の棚板７および二つ以上の側板連結具８からなり、前記天板２の下面背部、前記底板３の上面背部、前記棚板７の上面背部と下面背部、前記上部右側板４１の内側面背部、前記下部右側板４２の内側面背部、前記上部左側板５１の内側面背部及び前記下部左側板５２の内側面背部には、前記背板の一辺を挟みこむ嵌合溝９が設けられているものである。
【００１９】
本発明のキットに用いる各部材の例を図３〜４に示す。図３は、本発明の組み立てキットに用いる天板２及び底板３、図４は側板、図５は背板６、図６は棚板７の例をそれぞれ示した斜視図である。図７は側板連結具８の斜視図である。例として、カムロック８１とピン８２の斜視図を示した。
【００２０】
側板連結具８としては、上述のとおり、ピンとカムロック、ピンとカムロック、金属棒を用いる方法のいずれかが好ましい。ただし、強度確保のため、金属棒を側板連結具８とする場合は、上部及び下部に分割された右側板４及び左側板５の上部と下部の接触部位の形状を嵌合形状にして、嵌め合わせることが好ましい。図８には、側板連結具８の例として、ピン８２とカムロック８１を示した。また図３には、側板連結具８として木製ダボ８３が下部側板４２，５２の上辺に埋め込まれている例を示した。
【００２１】
また、側板４，５と天板２、側板４，５と底板３及び側板４，５と棚板７の固定を、ねじ止めにて行う場合には、天板２、底板３、右側板４、左側板５及び棚板７に適宜ねじ穴１３を設けても良い。図３の天板２，底板３、図４の右側板４，左側板５、図６の棚板７は、ねじ穴１３を設けた様態を示している。ただし符号は、図４については、上部右側板４１の最上段、図６については、最上部の側板７についてのみ付した。
【００２２】
（その他）
本発明の木製組み立て棚およびそのキットには、上記以外の構成要素を有していてもよい。例えば、外観化粧のためニスや塗装を施すこともできるし、図１，２に示したような
飾り板１０や転倒防止用金具１１などを設けてもよい。連結のために用いるねじなどの頭を被う木質調のシールを貼ってもよい。
【産業上の利用可能性】
【００２３】
本発明の組み立て棚およびそのキットは、家庭で組み立て可能な棚およびキットとして産業上利用できる。
【図面の簡単な説明】
【００２４】
【図１】本発明の木製組み立て棚の斜視図である。
【図２】本発明の別の様態の木製組み立て棚の斜視図である。
【図３】本発明の組み立てキットに用いる天板及び底板の斜視図である。
【図４】本発明の組み立てキットに用いる側板の斜視図である。
【図５】本発明の組み立てキットに用いる背板の斜視図である。
【図６】本発明の組み立てキットに用いる棚板の斜視図である。
【図７】本発明の組み立てキットに用いる側板連結具の斜視図である。
【符号の説明】
【００２５】
１                      組み立て棚
２                      天板
３                      底板
４                      右側板
４１                      上部右側板
４２                      下部右側板
５                      左側板
５１                      上部左側板
５２                      下部左側板
６                      背板
７                      棚板
８                      側板連結具
８１                      カムロック
８２                      ピン
８３                      木製ダボ
９                      嵌合溝
１０                    飾り板
１１                    転倒防止用金具
１２                    ねじ頭
１３                    ねじ穴
１４                    扉
Ａ，Ａ’                上部側板と下部側板の連結位置
【図１】
2007061207.tif 000003
【図２】
2007061207.tif 000004
【図３】
2007061207.tif 000005
【図４】
2007061207.tif 000006
【図５】
2007061207.tif 000007
【図６】
2007061207.tif 000008
【図７】
2007061207.tif 000009